(57)【要約】【課題】多層賦形フィルム製品を提供すること。【解決手段】多層賦形フィルム製品を形成するための方法は、ａ．第１のマスクを基材の上に載置する工程と、ｂ．マスクの少なくとも１つの開口部を通して第１のフィルム形成組成物を送達して、厚さを有する第１の粗形状体を基材上に形成する工程と、ｃ．第１のマスクを取り外す工程と、ｄ．第２のマスクを第１の粗形状体上に載置する工程と、ｅ．第２のフィルム形成組成物の空隙容積への送達を制御する工程と、ｆ．第２のマスクを取り外す工程と、ｇ．第１の粗形状体及び第２の粗形状体を凝固させて、基材上に配された賦形フィルム製品を提供する工程と、を含む。【選択図】図７Ａ
2019018205.tif 000002
【特許請求の範囲】
【請求項１】
多層賦形フィルム製品を形成するための方法であって、
ａ．送達面と、反対側の基材に対向する面と、前記賦形フィルム製品の一部分の所望の形状に対応する設計を有する少なくとも１つの開口部とを有する第１のマスクを、基材の上に載置する工程と、
ｂ．前記マスクの前記少なくとも１つの開口部を通して第１のフィルム形成組成物を送達して、厚さを有する第１の粗形状体を前記基材上に形成する工程と、
ｃ．前記第１のマスクを取り外す工程と、
ｄ．厚さと、送達面及び反対側の基材に対向する面と、前記賦形フィルム製品の第２の部分の前記所望の形状に対応する設計を有する少なくとも１つの開口部とを有する第２のマスクを前記第１の粗形状体上に載置する工程であって、前記第１の粗形状体が、前記第２のマスクの前記少なくとも１つの開口部よりも大きくはなく、前記第２のマスクの前記厚さが、前記第１の粗形状体の前記厚さよりも大きい、工程と、
ｅ．第２のフィルム形成組成物の空隙容積への送達を制御する工程であって、前記空隙容積は、
ｉ．ノズルの送達開口部の突出、基材、及びマスクの側壁の体積から、前記送達開口部の前記突出に対応する前記第１の粗形状体の体積を減じたものと、
ｉｉ．制御された体積の前記第２のフィルム形成組成物を前記第２のマスクの開口部へ送達することと、によって画定される、工程と、
ｆ．前記第２のマスクを取り外す工程と、
ｇ．前記第１の粗形状体及び前記第２の粗形状体を凝固させて、前記基材上に配された前記賦形フィルム製品を提供する工程と、を含む、方法。
【請求項２】
第２のフィルム材料によって実質的に取り囲まれた、第１のフィルム材料を有する第１の表面と、前記第２のフィルム材料によって形成された第２の表面とを備える、賦形フィルム製品。
【発明の詳細な説明】
【背景技術】
【０００１】
フィルム製品は、広範な用途を有する。これらには、装飾的な窓用デカール、絆創膏、粘着包帯、並びに経口ストリップ（薬用及びその他の両方）が含まれる。
【０００２】
このようなインテグラルフィルム製品の従来の生産は、一般に、フィルムストックから所望の形状の製品を打ち抜くことを伴う。この生産は、廉価なフィルムストックを生産するものの、打ち抜きは、最終製品形成の効率性及び／又は可変性を制限する。製品の形状が完全に長方形ではない、又は他の点で完全にモザイク状ではない場合、取り囲む梯子状の切れ端は、著しい浪費をもたらし得る。したがって、高価な原材料を有する製品は、しばしば、このような高価な浪費を実質的に排除するために、正方形又は他の完全にモザイク状の形状に限定される。これは、残念ながら一部の用途のための最適な形状の形成を妨げる。医療フィルムの打ち抜きの例としては、Ｐｈａｒｍｅｄｉｃａ  Ｌｔｄ．、国際公開第２０１２１０４８３４号Ａ１、Ｐｉｎｎａら、米国特許第７６１２０４８号Ｂ２、及びＳｍｉｔｈｋｌｉｎｅ  Ｂｅｅｃｈａｍ  Ｃｏｒｐ．、国際公開第２００５／００９３８６号Ａ２に記載されているような生産技術が挙げられる。
【０００３】
一方、印刷（ステンシル印刷及びスクリーン印刷を含む）は、不規則な形状を基材上に提供することができる既知の方法である。一般に、印刷された材料は、紙上に印刷されたテキスト及びグラフィクス、電子業界における印刷回路、並びに服飾及び標識上の印刷されたデザイン等、基材に永続的に接合されてとどまる。しかしながら、印刷された要素へ担持基材を統合することは、印刷された製品を基材から分離させて使用することを妨げる。
【発明の概要】
【発明が解決しようとする課題】
【０００４】
必要とされているものは、打ち抜きの無駄なしに廉価なフィルム製品を商業規模で製造でき、これらの製品をそれらが上に形成された支持構造物から独立して使用できる方法である。
【課題を解決するための手段】
【０００５】
驚くべきことに、我々は、打ち抜きの無駄なしに廉価な賦形フィルム製品を商業規模で製造できる方法を見出した。この方法は、基材上にマスクを載置することと、ノズルを通してフィルム形成組成物を送達し、粗形状体を基材上に形成することと、マスクを取り外すことと、フィルム形成組成物を凝固させて基材上に配された賦形フィルム製品を提供することと、を含む。マスクは、送達面と、反対側の基材に対向する面と、所望の賦形フィルム製品に対応する設計を有する少なくとも１つの開口部とを有する。ノズルは、フィルム形成組成物の送達の間、マスクの送達面と封止係合して、マスクの少なくとも１つの開口部に対して配される。
【０００６】
代替的な実施形態では、方法は、第１のマスクを基材上に載置することと、第１のフィルム形成組成物をノズルを通して送達して、第１の粗形状体を基材上に形成することと、第１のマスクを取り外すことと、第２のマスクを第１の粗形状体上に載置することと、ノズルの送達開口部の突出、基材、及びマスク側壁によって画定される空隙容積に対して第２のフィルム形成組成物の送達を制御することと、制御された体積の第２のフィルム形成組成物を第２のマスク開口部へ送達することと、第２のマスクを取り外すことと、第１の粗形状体及び第２の粗形状体を凝固させて、基材上に配された賦形フィルム製品を提供することと、を含む。第１のマスクは、送達面と、反対側の基材に対向する面と、賦形フィルム製品の所望の形状の第１の層に対応する設計を有する少なくとも１つの開口部とを有し、ノズルは、マスクの少なくとも１つの開口部を通して送達面に接触して置かれる。第２のマスクは、送達面と、反対側の基材に対向する面と、賦形フィルム製品の第２の層の所望の形状に対応する設計を有する少なくとも１つの開口部とを有する。
【図面の簡単な説明】
【０００７】
【図１】本発明の一実施形態による方法のブロック図である。
【図２】本発明の一実施形態による賦形フィルム製品の斜視図である。
【図３】本発明の一実施形態において有用なフラットベッド印刷装置の斜視図である。
【図４】図３の装置の断面図である。
【図５Ａ】図３の容積移送式ポンプのボア内のピストン変位のグラフである。
【図５Ｂ】図３の容積移送式ポンプのボア内のピストン変位と相関するマスクの平面図である。
【図６】本発明の代替的な実施形態において有用な回転式印刷システムの斜視図である。
【図７Ａ】本発明の代替的な実施形態による多コンポーネント型賦形フィルム製品の底面図である。
【図７Ｂ】図７Ａの多層フィルム製品の線７−７に沿った断面図である。
【図８】図７Ａの多コンポーネント型賦形フィルム製品の形成における一工程の斜視図である。
【発明を実施するための形態】
【０００８】
本発明は、賦形フィルム製品を形成するための方法及び装置に関する。以下の説明は、当業者が本発明を作製及び使用できるようにするために提示される。本明細書に記載される実施形態並びに一般的な原則及び特長に対する様々な修正が、当業者には容易に明らかになるであろう。したがって、本発明は、示されている実施形態に限定されることを意図するものではなく、本明細書に記載されている原則及び特長に整合する最も広い範囲が与えられるべきである。賦形フィルム製品は、広範な用途を有し得る。これらには、窓及び壁の装飾的なデカール、一時的なタトゥー（車体用デカール等）等の家庭及び娯楽用途、薬用及び／又は吸収性絆創膏、粘着包帯、及び他の創傷被覆、「消耗性フィルム」（薬用、治療用、及び化粧品用）としても知られている経口ストリップ、保湿にきび治療薬、隈の軽減、メリスマ（melisma）、セルライト、ビタミンの送達、湿疹、乾癬等の治療薬等の他の身体用ストリップ等の医療装置等が含まれる。
【０００９】
本明細書及び請求項において使用される場合、用語「インテグラルフィルム製品」、その変化形は、任意の支持基材から分離して所望の目的のために取り扱うことを可能にするのに十分丈夫であるフィルム製品に関する。製品は、基材から独立した使用のために基材から取り外し可能である。
【００１０】
本明細書及び請求項において使用される場合、用語「フィルム形成組成物」、その変化形は、それ自体によって又は添加剤の存在下で、基材上に連続的なフィルムを形成することができる組成物に関する。
【００１１】
本明細書及び請求項において使用される場合、用語「粗形状体」、その変化形は、開口部付きマスクを通して基材上に配されたフィルム形成組成物の、形作られた体積に関する。粗形状体は、一般に、それをインテグラルフィルム製品へと変換するために、統合等の更なる処理を必要とする。
【００１２】
本明細書及び請求項において使用される場合、用語「多層賦形フィルム製品」及びその変化形は、２つ若しくはそれ以上の別個の層（混合又は均質ではないを有する薄型製品に関する。粘着力、風味、色、テクスチャ等の異なる特性を含む層を有する製品。層は、連続的、間欠的、又は近接的であってもよい。
【００１３】
本明細書及び請求項において使用される場合、用語「モザイク状」及びその変化形は、重なり合い又は間隙のない平坦形状の模様を有する平面に関する。したがって、「梯子状の無駄は形状の間に存在しない。
【００１４】
図面を参照すると、図１は、多層賦形フィルム製品を形成する方法の高レベルの流れ図である。第１の工程１０は、開口部を有するマスクを形成することを含む。第２の工程２０は、基材上にマスクを載置することを含む。第３の工程３０は、マスクを通して液体フィルム形成組成物を基材へ送達して、粗形状体を形成することを含む。第４の工程４０は、マスクを取り外すことを含む。第５の工程５０は、粗形状体を凝固させて賦形フィルム製品を形成することを含む。
【００１５】
本発明の一実施形態による賦形フィルム製品１００が、図２に示されている。この実施形態では、賦形フィルム製品１００は、長手方向軸ｘ−ｘに垂直に測定される可変幅を有し、この製品は、第１の端部１０２において狭く、最大幅に増大して、第１の端部１０２の反対側の、丸みのある第２の端部１０４で終端する。
【００１６】
図２に示されているように、本発明の新機軸により、形状を所望されるとおりに単純又は複雑にすることが可能になる。本発明の１つの利点として、形状は、比較的複雑（打ち抜き作業において過度の梯子状の無駄をもたらすであろうような種類の形状）であってもよい。例えば、入れ子式の円模様の印刷中に生じる最小限の梯子状の無駄は、約２０％である（象限において接する、まっすぐな列及び行として配置された円に基づくと）。
【００１７】
図２の実施形態に関連して、工程１０は、粗形状体に対応する少なくとも１つの開口部を有するマスクを形成することを伴う。
【００１８】
印刷マスクは、当技術分野で既知である。これには、ステンシル、テープ等が含まれるが、それらには限定されない。印刷マスクの正確な製作は、本発明にとって決定的ではないが、我々の発明は、比較的厚いインテグラルフィルム製品を形成すること、及びしたがって比較的厚いマスクを使用することを可能にする。好ましくは、マスクは、少なくとも約０．０５ミリメートル（「ｍｍ」）の厚さを有する。可撓性の比較的目立たない製品に関する皮膚上の使用のための一実施形態では、マスクは、約０．０５ｍｍ〜約０．３ｍｍ、より好ましくは約０．１〜約０．２ｍｍの厚さを有する。別の実施形態では、厚いインテグラルフィルム製品は、約０．２ｍｍ超、好ましくは約０．２〜約２ｍｍ、好ましくは約０．４ｍｍ〜約１ｍｍ、及び最も好ましくは約０．５ｍｍ〜約１ｍｍの厚さを有するマスクを使用して作製されてもよい。多くの実施形態では、マスク厚さは決定的ではない一方、他の実施形態では、本発明は、事前に知られていない厚さを有するインテグラルフィルム製品を形成することを可能にする。
【００１９】
マスク厚さは、一般に、インテグラルフィルム製品の最大厚さを決定する。この関係は、フィルム形成組成物の性質及び組成物が凝固する仕組みによって決定される。例えば、ホットメルト及び親水コロイドのフィルム形成組成物は、一般に、マスク厚さと本質的に等しい製品厚さをもたらす。発泡フィルム形成組成物も使用されてもよく、マスク厚さと実質的に等しいか、又はことによるとそれよりも更に厚い厚さを有する凝固フィルムを提供し得る。溶媒又は他の担体ベースの組成物は、製品が凝固するにつれて厚みを失うことになる。厚みの低減は、一般に、組成物の固形分に関係する。我々は、固形分が３０〜４０％であると、マスク厚さの約５０％の厚さを有するインテグラルフィルム製品がもたらされることを見出した。より少ない固形分を有する配合物は、マスク厚さの５０％未満の厚さを有する最終製品さえもたらす可能性が高いであろう。
【００２０】
例えば、ステンシルマスク厚さが０．５ｍｍであると、約０．５ｍｍのフィルム形成組成物の粗形状体を堆積させることができるであろう。インテグラルフィルム製品への変換後、フィルム形成組成物の固形分に基づき、厚さは縮小するであろう。
【００２１】
本発明の印刷マスクの生産において、材料の選択は決定的ではない。当業者は、マスクが、アルミニウム合金、ステンレス鋼、Ｎｉ合金、Ｃｒ合金等の金属；ポリイミド、ポリエステル、エポキシ、ポリカーボネート、ポリエチレン、ポリエチレンテレフタレート（ＰＥＴ）、ポリプロピレン等のマスク等の樹脂；ガラス；紙；木；又はボール紙、及びそれらの組み合わせを含むが、それらには限定されない構造的材料から作製されてもよいことを認識するであろう。別の例として、マスク本体は、ガラス繊維入りのポリイミド、ポリエステル、又はエポキシ等の複合材料から作製されてもよい。マスク本体は、これらの材料からのシートに形成される。シートの厚さは、２０〜２０００マイクロメートル（μｍ）であってもよいが、取り扱いの容易性及び他の考慮すべき事項のため、厚さは、好ましくは２０〜８０μｍである。
【００２２】
好ましい実施形態では、マスクは、均一な厚さを有する。しかしながら、機械方向に沿って変化する厚さを有するマスクを用いることは可能である。例えば、マスクは、機械方向に沿って中央の肥厚部分及びテーパー状の端部を有しても良い。
【００２３】
図２の賦形フィルム製品１００の形成において有用な、本発明の一実施形態によるマスクの一例は、図３に示されているフラットベッド印刷装置で使用され得るマスク２００である。マスク２００は、少なくとも１つの開口部２０４を画定する不透過性マスク部分２０２を含む。マスク２００は、工程２０で基材２０６上に載置される。この基材２０６は、無端ベルト（連続する可撓性ウェブ、連結された圧盤等）であってもよく、又はそれは、得られた賦形製品を担持するウェブであってもよい。賦形製品は、ウェブに永続的に取り付けられてもよく、又はそれは、剥離ライナーのようにウェブに剥離可能に取り付けられてもよい。表面は、二硫化モリブデン、グラファイト、二硫化タングステン等の乾燥フィルム潤滑剤、又は一般的に当業者に既知の油脂の使用を通じて改質されてもよい。典型的な剥離表面は、シリコーン、ポリテトラフルオロエチレン（ＰＴＦＥ）、ワックス、ポリマー、研磨された金属、又はそれらの組み合わせを含んでいてもよい。この方法は、フラットベッド装置又は回転式装置を用いてもよい。印刷装置は、基材２０６のための支持部２０８と、マスク開口部２０４を通してフィルム形成組成物を送達するためのシステムとを有するであろう（工程３０）。システムは、フィルム形成組成物リザーバ（図示せず）、ノズル２１０、ポンプ２１２、及びポンプコントローラ（カム２１４等）を含む。
【００２４】
フィルム形成組成物を送達するためのシステムは、マスク２００と相互作用して適切な量のフィルム形成組成物をマスクへ提供し、ノズル２１０の下のマスク開口部２０４内の空隙容積を、マスクとノズルとの間の相対運動の間に、正確に充填する。この相対運動（図３及び４で矢印２１６として示されている）は、縦方向を画定する。
【００２５】
図４を参照すると、システムは、マスク２００の上面２１８に当接するように配置及び構成されたノズル２１０を含む。マスク２００の下面２２０は、基材２０６と接触している。ノズルが基材及びマスクに対して十分な力を適用すると、ノズルは、マスクの上面、かつ下面と基材との間に、フィルム形成組成物２２２の漏れを最小限にするのに効果的な封止を形成する。ノズル２１０は、縦方向寸法及び横方向寸法を画定する送達開口部２２４を有する。好ましくは、横方向寸法は、マスク２００内に形成される少なくとも１つの開口部２０４の最大横方向寸法よりも大きいが、本発明の一部の実施形態では、ノズルの横方向寸法は、少なくとも１つの開口部の最大横方向寸法に等しいか、又はそれよりもわずかに短い。したがって、基材２０６、マスク側壁２２６、及びノズル２１０の送達開口部２２４の突出は、ノズルがマスク開口部２０４の少なくとも一部分の上に配されるとき、空隙容積２２８を画定し、ポンプは、送達開口部２２４が上に位置付けられているその空隙容積に対応する体積のフィルム形成組成物２２２を送達開口部２２４へ出力するように制御される。この空隙容積は、ノズル２１０とマスク２００との間の相対運動中に変化し得、そのため、送達開口部２２４へ出力されるフィルム形成組成物の体積は、変化する空隙容積と共に変化することになる。ポンプ２１２の出力は、当業者に既知の制御手段を通じて制御されてもよい。図３に示されている例では、マスク２００は、容積移送式ポンプ２１２のピストンポンプ形態へ連結されたカム２１４の近位側に載置されてもよい。この構成では、ノズル２１０は、マスク開口部２０４を画定するマスク２００の上面２１８にわたって可動である。ノズル２１０は、フィルム形成組成物２２２を収容する空洞又はボアを有する容積移送式ポンプ２１２に接続される。ノズル２１０がマスク開口部２０４に到達すると、カムフォロワ２３０は、カム２１４と係合する。カムプロファイルは、上述のように、基材２０６、マスク側壁２２６、及びノズル２１０の送達開口部２２４によって画定される空隙容積と相関する。ノズル２１０がマスク２００に沿って移動するにつれて、カム２１４は、ノズル２１０の送達開口部２２４に近接する空隙容積に対応する体積のフィルム形成組成物２２２を出力するために、カムフォロワ２３０の運動を決定してポンプのボア内部のピストンを移動させる。容積移送式ポンプ２１２の出力体積流は、ノズル２１０がマスク２００に沿って移動するにつれて変化する空隙容積に対応するため、流体流動に対する外乱は、最小限である。好ましくは、送達開口部から基材への流動は、実質的に層状である。ノズル２１０の送達開口部２２４がマスク開口部２０４の端部に到達すると、ポンプ出力は終了し、フィルム形成組成物送達システムは、その後でマスクから取り外されてもよい。送達開口部２２４は、フィルム形成組成物を送達するのに適切な任意の形状を有してもよい。特に好ましい送達開口部は、縦方向寸法よりも実質的に大きい横方向寸法を有する方形スロットである。
【００２６】
方形スロットノズルを使用した、約０．７５ｍｍの粗形状体厚さを有する涙型の賦形フィルム製品に対するカム変位が、図５Ａ及び５Ｂに示されている。図５Ａは、図３の容積移送式ポンプ２１２のボア内の１．３ｃｍ（２分の１インチ）の直径を有するピストンへ連結されたカムフォロワ２３０の変位のグラフを示している。図５Ｂは、図４に示されている方向へのカム２１４沿いの移動によって引き起こされるカムフォロワ２３０の変位と相関するマスク２００の平面図である。図５Ａ及び５Ｂの比較は、ノズルがマスク開口部の左端部に到達するまで、フィルム形成組成物は、マスク開口部へ提供されないことを示している。したがって、変位線２３２の勾配は、図５Ａのグラフの右端部ではゼロである。体積流量は、開口部の幅が増大するにつれて増大する（図５Ａの変位線２３２のより大きな勾配によって示されている）。ひとたび図５Ａのｘ軸上の約２０の値付近においてマスク開口部の最大幅が到達されると、体積流量は、マスク開口部の右端部においてゼロへ減少する。
【００２７】
上の方法は、容積移送式ポンプを制御するカムシステムに関して説明されているものの、代替的な容積ポンプ及び体積流コントローラが使用され、ノズル及びマスク開口部の相対運動に相関付けられてもよいことは明らかである。例えば、コンピュータ制御型容積ポンプは、空隙容積に対応する体積のフィルム形成組成物を提供するために、マスク開口部の部分への流体分注速度を変化させることができる。このようなポンプ及び制御の追加的な、非限定的な代表例としては、回転ポンプ（ギア、スクリュー、蠕動、及び可撓性羽根車等）並びに往復ポンプ（ピストン及びダイアフラム等）等が挙げられる。
【００２８】
工程４０では、第１のマスク２００が取り外され、基材２０６上に堆積された第１の粗形状体が残される。より高速にマスクが取り外されるほど、粗形状体及び得られるフィルム製品の鮮鋭度及び端部品質は良好になる。したがって、回転式ステンシルが、一般に、優良品質の賦形フィルム製品をもたらす。
【００２９】
工程５０では、粗形状体２３４は、凝固されて賦形フィルム製品１００になる。この場合も、賦形フィルム製品１００は、基材２０６に永続的に取り付けられてもよく、又は基材２０６は、基材から独立した使用のために製品をそこから取り外すことを可能にする剥離ライナーであってもよい。凝固ステーションの正確な性質は、本発明にとって決定的ではない。例えば、粗形状体は、水及び有機溶媒等の揮発性担体を払いのけるために加熱されてもよい。あるいは、凝固は、ＵＶ光等のエネルギーを提供して、１つ若しくは２つ以上のポリマーフィルム形成成分を架橋又は他の方法で「硬化」させることによってであってもよい。１つ又は２つ以上のフィルム形成成分がホットメルト組成物である場合、凝固は、単純に、粗形状体を融解温度又はガラス転移温度未満に冷却させることであってもよい。
【００３０】
少なくとも２つの層を有する多層フィルム製品を（フィルム層形成の間の凝固なしに）提供するために、追加的なフィルム形成組成物と共に工程２０〜４０を繰り返すことによって、追加的な層を追加してもよいことを当業者は認識するであろう。本発明は、上述のように相関付けられたポンプの体積出力により流体流動への外乱が最小限であるため、粗形状体を層状に適用するのに特に好適である。この場合も、後続層の送達は実質的に層流によって生じるため、粗未凝固層上に形成された複数の層が可能である。これは、近接するフィルム形成組成物の混合を最小限に抑える。ノズル出力の正確な制御は、適用の点における層の混合を防止する。
【００３１】
この場合も、賦形フィルム製品は、ウェブに永続的に取り付けられてもよく、又はそれは、剥離ライナーのようにウェブに剥離可能に取り付けられてもよい。本発明による方法が、剥離ライナー付きのウェブを基材として用いる場合、剥離ライナー付きのウェブは、担体として使用され、消費者に引き渡されるまで賦形フィルム製品と共に適切なサイズの一次パッケージング内に包装されてもよい。消費者は、次に、賦形フィルム製品を基材から取り外し、それを所望のように使用することができる。あるいは、本発明による方法が剥離性表面を有する無端ベルト又は製造設備に統合された他の基材を用いる場合、賦形フィルム製品は、基材の剥離性表面から取り外され、消費者への引き渡しのために包装される。賦形フィルム製品は、薬用絆創膏のような接着性の表面を有してもよく、又は経口ストリップ等のような非粘着性の表面を有してもよい。
【００３２】
上の方法は、フラットベッドステンシル印刷システムに関連して説明されている。しかしながら、当業者は、方法に変更が加えられてもよいことを認識するであろう。例えば、図６に示されている回転式印刷システム３００が使用されてもよい。このシステムでは、フィルム形成組成物は、ノズル３０２によって適用される。印刷ドラム３０４は、複数のマスク開口部３０６を含む。ドラム３０４の回転は、マスク開口部３０６をノズル３０２に対して間欠送りする。マスク開口部の位置を特定し読み取るための１つ又は２つ以上の要素等のコントローラが、フィルム形成組成物の制御された体積送達をノズルの送達開口部と相関付ける（上述のように）。フィルム形成組成物は、この場合も上述のように、ノズル３０２、マスク側壁３０８、及び基材３１０によって画定されるリザーバ（図示せず）空隙容積から導管を通してドラム３０４の内部へ送達される。次に、粗形状体３１２は、更なる処理のために矢印３１４の方向へ移動する。
【００３３】
以下の技術的考慮事項は、フィルム形成組成物送達ノズルを介したステンシル印刷に関連性があると思われる。フィルム形成組成物の正確な分注は、形状体の上首尾かつ正確な形成につながる。これは、分注されるフィルム形成組成物の瞬間体積が、すぐ近接する対応するステンシル体積に等しいときに、達成される。超過のフィルム形成組成物を分注するという望ましくない事象の場合、その超過分は、スロットノズルの先頭端部上に集まる。この集積は、次のステンシル開口部を通して制御不能にこぼれて、ステンシルの外部表面を汚し得る。これは、縁部鮮鋭度不良及びパターン間のスミア等の欠陥を引き起こす。マスク開口部の充填不足は、抜け及び空隙等の製品欠陥につながる。スロットノズル開口部（幅）は、一般に、最大パターン幅に等しい。ノズルをステンシル表面に押し当てると、動的封止が形成される。それゆえ、有効ノズル幅は、ステンシル開口部がノズルを横切って通るにつれて、当然変化する。
【００３４】
毛管現象は、液体フィルム形成組成物を狭い隙間の中に引き込む。平坦平面のステンシルは、間の液体の吸い上げを防止するためにステンシルを基材から迅速に取り外すことによって、最も良好に動作する。毛管現象は、羽毛状の、及び荒仕上げの縁部等の欠陥を引き起こし得る。回転式ステンシル（円筒形状のステンシル）は、ステンシルの基材との接触が円筒形に接する線に沿ってなされるため、毛管現象の効果を最小限に抑える。ウェブ（基材）の速度を上げると、これを更に改善することができる。
【００３５】
印刷厚さは、マスク厚さ（及び対応する液体流動）によって制御される。最小マスク厚さは、材料強度の問題である。現行の技術では、０．０１５センチメートル（０．００６インチ）厚のステンレス鋼が、実用的な下限であるかもしれない。０．０１５センチメートル（０．００６）厚のマスクは、液体固形分含有量に応じて、０．００５〜０．００８センチメートル（０．００２〜０．００３インチ）の範囲の乾燥フィルム厚さをもたらす。
【００３６】
島部のステンシル印刷は、上の考慮事項のため、特別な難題を突き付ける。本発明による別のフィルム材料７０４（図７Ａ及びＢに示されているような）によって取り囲まれた島部７０２を有する多コンポーネント型賦形フィルム製品７００のステンシル印刷は、印刷中にフィルム形成組成物の層流を活用する。「フィルム材料（複数可）」は、フィルム形成組成物（複数可）のフィルム構造物への変換の結果である。これは、層間の混合も防止する。ステンシル印刷された「島部」製品７００を形成するために、初期工程として、製品の島部分７０２が、基材８００上に形成されてもよい（図８に示されているように）。この初期工程は、上述のように、ステンシル印刷を介して実行されてもよく、又はスクリーン印刷及び当業者に既知の他のプロセスを介して等、他の方法で形成されてもよい。次に、マスク８０２を「島部」の周りに置き、上述のように、マスクの開口部をフィルム形成組成物によって充填する（図３及び４を参照）が、分注流量は、島部の容積を考慮しなければならない。瞬間分注速度を計算するとき、島部の容積は、総容積から減算されることになるだろう。島部の形状がマスク開口部に対応するか、又はその内に嵌まること、及びマスク厚さｈｍよりも小さい高さｈｉを有することも重要である。この場合も、フィルム形成組成物の正確な流量は、島部層に対するその後追加される最上層によるスミア形成及び／又は混合を防止するために重要である。
【００３７】
我々は、第２のフィルム形成組成物の粘度よりも高い島部のフィルム形成組成物の粘度を有することが好ましいことも見出した。粘度が高いほど、より良好に、せん断力（sheer forces）に抵抗し、混合が妨げられる。
【００３８】
本発明において用いられるフィルム形成組成物は、ホットメルト組成物、すなわち溶融されて流動性液体を形成し、堆積されて粗形状体を形成し得、これが次に冷えてインテグラルフィルム製品を形成し得る固体材料の形態であってもよい。あるいは、フィルム形成組成物は、少なくともフィルム形成成分及び担体を含んでいてもよい。追加的な成分としては、乳化剤、界面活性剤、可塑剤、有効成分、芳香剤、着色料、香料、及び当業者に既知の他の成分が挙げられ得るが、それらには限定されない。担体は、好ましくは液体であり、溶媒又は希釈剤であってもよい。好ましい担体としては、水及びアルコールが挙げられる。
【００３９】
本発明の水溶性ポリマーは、本発明のフィルムを生産するのに有用なフィルム形成特性を有する。本発明のフィルムでは、多くの水溶性ポリマーが使用され得る。代表的な、非限定的な一覧には、プルラン、セルロースエーテル（ヒドロキシプロピルメチルセルロース、ヒドロキシエチルセルロース、ヒドロキシプロピルセルロース等）、ポリビニルピロリドン、カルボキシメチルセルロース、ポリビニルアルコール、アルギン酸ナトリウム、ポリエチレングリコール、トラガカントゴム、グアーゴム、アカシアゴム、アラビヤゴム、ポリアクリル酸、メタクリル酸メチルコポリマー、カルボキシビニルポリマー、アミロース、澱粉（高アミロース澱粉及びヒドロキシプロピル化高アミロース澱粉等）、デキストリン、ペクチン、キチン質、キトサン、レバン、エルシナン、コラーゲン、ゼラチン、ゼイン、グルテン、大豆タンパク単離体、乳清タンパク単離体、カゼイン及び／又はそれらの混合物が含まれる。
【００４０】
好ましい一実施形態では、担体は、水である。代替的な実施形態では、従来から使用されている有機溶媒が溶媒として用いられてもよい。有用な溶媒の代表的な、非限定的な一覧には、メタノール、エタノール、プロパノール、ブタノール、３−メトキシ−３−メチル−１−ブタノール、及び３−メトキシ−１−ブタノール等の一価のアルコール；３−メトキシプロピオン酸メチル、及び３−エトキシプロピオン酸エチル等のアルキルカルボン酸エステル；エチレングリコール、ジエチレングリコール、及びプロピレングリコール等の多価アルコール；エチレングリコールモノメチルエーテル、エチレングリコールモノエチルエーテル、エチレングリコールモノプロピルエーテル、エチレングリコールモノブチルエーテル、プロピレングリコールモノメチルエーテル、プロピレングリコールモノエチルエーテル、プロピレングリコールモノプロピルエーテル、プロピレングリコールモノブチルエーテル、エチレングリコールモノメチルエーテルアセテート、エチレングリコールモノエチルエーテルアセテート、及びプロピレングリコールモノメチルエーテルアセテート等の多価アルコール誘導体；酢酸及びプロピオン酸等の脂肪酸；アセトン、メチルエチルケトン、及び２−ヘプタノン等のケトンが含まれる。これらの有機溶媒は、単独で、又は組み合わせて使用されてもよい。
【００４１】
フィルム製品は、アニオン性、両性、非イオン性、及びカチオン性の界面活性剤又はそれらの混合物を含む少なくとも１つの界面活性剤も含有してもよい。
【００４２】
アニオン性界面活性剤の代表的な、非限定的な一覧には、単独で、又は混合状態で、以下の化合物の塩（例えば、ナトリウム等のアルカリ金属の塩、アンモニウム塩、アミンの塩、アミノアルコールの塩、又はマグネシウム塩）が含まれる。すなわち、アルキルサルフェート、アルキルエーテルサルフェート、アルキルアミドエーテルサルフェート、アルキルアリールポリエーテルサルフェート、モノグリセリドサルフェート、アルキルスルホナート、アルキルホスフェート、アルキルアミドスルホナート、アルカリールスルホナート、α−オレフィンスルホナート、パラフィンスルホナート；アルキルスルホサクシネート、アルキルエーテルスルホサクシネート、アルキルアミドスルホサクシネート、アルキルスルホサクシナメート、アルキルスルホアセテート、アルキルエーテルホスフェート、アシルサルコシネート、アシルイセチオネート、及びＮ−アシルタウレートであり、これらの全ての様々な化合物のアルキル又はアシルラジカルは、例えば８〜２４個の炭素元素及びフェニル又はベンジル基等のアリールラジカルを有する。
【００４３】
少なくとも１つの実施形態によれば、塩には、オレイン酸、リシノール酸、パルミチン酸、ステアリン酸の塩等の脂肪酸の塩、コプラ油又は水素添加コプラ油の酸、アシルラジカルが８〜２０個の炭素原子を有するアシルラクチレート、アルキルＤ−ガラクトシドウロン酸及びそれらの塩、並びにポリオキシアルキレン化アルキル（Ｃ６〜Ｃ２４）エーテルカルボン酸、ポリオキシアルキレン化アルキル（Ｃ６〜Ｃ２４）アリールエーテルカルボン酸、ポリオキシアルキレン化アルキル（Ｃ６〜Ｃ２４）アミドエーテルカルボン酸及びそれらの塩、例えば２〜５０個のエチレンオキサイド基を有するもの、並びにそれらの混合物が含まれる。
【００４４】
両性界面活性剤の代表的な、非限定的な一覧には、単独か混合かにかかわらず、脂肪族ラジカルが８〜２２個の炭素原子を有し、少なくとも１つの水溶性アニオン基（例えば、カルボキシレート、スルホネート、サルフェート、ホスフェート、又はホスホネート）を含む直鎖及び分岐鎖である脂肪族第二級又は第三級アミンの誘導体；アルキル（Ｃ８〜Ｃ２０）ベタイン、スルホベタイン、ココアミドプロピルベタイン等のアルキル（Ｃ８〜Ｃ２０）アミドアルキル（Ｃ１〜Ｃ６）ベタイン、又はアルキル（Ｃ８〜Ｃ２０）アミドアルキル（Ｃ１〜Ｃ６）スルホベタインが含まれる。
【００４５】
非イオン性界面活性剤の代表的な、非限定的な一覧には、単独か混合かにかかわらず、例えば８〜１８個の炭素原子を有する脂肪族鎖を有するアルコール、α−ジオール、アルキルフェノール、又はポリエトキシル化、ポリプロポキシル化、若しくはポリグリセロール化された脂肪酸が含まれ、エチレンオキサイド基又はプロピレンオキサイド基の数は、任意に２〜５０の範囲内であってもよく、グリセロール基の数は、任意に２〜３０の範囲内であってもよい。
【００４６】
製薬分野において既知のいずれの可塑剤も、フィルム製品における使用に好適である。これらには、ポリエチレングリコール；グリセリン；ソルビトール；クエン酸トリエチル；クエン酸トリブイル；ジブチルセベカーテ；ヒマシ油等の植物油；ポリソルベート、ラウリル硫酸ナトリウム、ジオクチルソジウムスルホサクシネート等の界面活性剤；プロピレングリコール；グリセロールのモノアセテート；グリセロールのジアセテート；グリセロールのトリアセテート；天然ゴム及びそれらの混合物が含まれるが、それらには限定されない。
【００４７】
本発明のフィルム製品は、顔料又は染料等の少なくとも１つの着色剤も含有してもよい。好適な顔料の例としては、無機顔料、有機顔料、レーキ、真珠光沢顔料、虹色又は光学的に変化する顔料、及びそれらの混合物が挙げられるが、それらには限定されない。顔料は、無機又は有機の白又は有色の粒子を意味すると理解されるべきである。前記顔料は、本発明の範囲内において任意追加的に表面処理されてもよいが、シリコーン、パーフルオロ化化合物、レシチン、及びアミノ酸等の処理に限定されない。
【００４８】
本発明において有用な無機顔料の代表的な例としては、カラーインデックスにおいて参照ＣＩ  ７７，８９１でコード化されているルチル型又はアナターゼ型の二酸化チタン；参照ＣＩ  ７７，４９９、７７，４９２、及び７７，４９１でコード化されている黒、黄色、赤褐色の酸化鉄；マンガンバイオレット（ＣＩ  ７７，７４２）；群青（ＣＩ  ７７，００７）；酸化クロム（ＣＩ  ７７，２８８）；水酸化クロム（ＣＩ  ７７，２８９）；及び紺青（ＣＩ  ７７，５１０）からなる群から選択されるもの並びにそれらの混合物が挙げられる。
【００４９】
本発明において有用な有機顔料及びレーキの代表的な例としては、Ｄ＆Ｃ赤１９番（ＣＩ  ４５，１７０）、Ｄ＆Ｃ赤９番（ＣＩ  １５，５８５）、Ｄ＆Ｃ赤２１番（ＣＩ  ４５，３８０）、Ｄ＆Ｃ橙４番（ＣＩ  １５，５１０）、Ｄ＆Ｃ橙５番（ＣＩ  ４５，３７０）、Ｄ＆Ｃ赤２７番（ＣＩ  ４５，４１０）、Ｄ＆Ｃ赤１３番（ＣＩ  １５，６３０）、Ｄ＆Ｃ赤７番（ＣＩ  １５，８５０）、Ｄ＆Ｃ赤６番（ＣＩ  １５，８５０）、Ｄ＆Ｃ黄５番（ＣＩ  １９，１４０）、Ｄ＆Ｃ赤３６番（ＣＩ  １２，０８５）、Ｄ＆Ｃ橙１０番（ＣＩ  ４５，４２５）、Ｄ＆Ｃ黄６番（ＣＩ  １５，９８５）、Ｄ＆Ｃ赤３０番（ＣＩ  ７３，３６０）、Ｄ＆Ｃ赤３番（ＣＩ  ４５，４３０）及びコチニールカルミン（ＣＩ  ７５，５７０）に基づく染料又はレーキ並びにそれらの混合物が挙げられるが、それらには限定されない。
【００５０】
本発明において有用な真珠光沢顔料の代表的な例としては、酸化チタンでコーティングされた雲母、二酸化チタンでコーティングされた雲母、ビスマスオキシクロライド、チタンオキシクロライド等の白色真珠光沢顔料、酸化鉄を含むチタンマイカ、紺青、酸化クロム等を含むチタンマイカ、上記種類の有機顔料及びビスマスオキシクロライドをベースとするものを含むチタンマイカ等の有色真珠光沢顔料、並びにそれらの混合物からなる群から選択されるものが挙げられる。
【００５１】
本発明の化粧品組成物において用いられる着色剤の正確な量及び種類は、化粧品組成物の色、強度、及び用途に依存し、結果として、化粧品配合物の当業者によって決定されるであろう。
【００５２】
当技術分野で既知の任意の増粘剤が任意追加的にフィルムに添加されてもよい。好適な増粘剤としては、シクロデキストリン、結晶性炭水化物等、並びにそれらの誘導体及び組み合わせが挙げられるが、それらには限定されない。好適な結晶性炭水化物としては、モノサッカライド及びオリゴ糖が挙げられる。モノサッカライドのうち、アルドヘキソース、例えばアロース、アルトロース、グルコース、マンノース、グロース、イドース、ガラクトース、タロースのＤ体及びＬ体、並びにケトヘキソース、例えば、フルクトース及びソルボースのＤ体及びＬ体並びにそれらの水素添加類似物、例えば、グルシトール（ソルビトール）、及びマンニトールが好ましい。オリゴ糖のうち、１，２−ジサッカライドスクロース及びトレハロース、１，４−ジサッカライドマルトース、ラクトース、及びセロビオース、並びに１，６−ジサッカライドゲンチオビオソース及びメリビオース、並びにトリサッカライドラフィノースが、イソマルツロースとして知られるスクロースの異性化形態及びその水素添加類似物と共に、好ましい。還元性ジサッカライド（マルトース及びラクトース等）の他の水素添加形態、例えば、マルチトール及びラクチトールも好ましい。なお、アルドペントースの水素添加形（例えば、Ｄ型及びＬ型のリボース、アラビノース、キシロース、及びリキソース）、並びにアルドテトロースの水素添加形（例えば、Ｄ型及びＬ型のエリトロース及びトレオースが好適であり、それぞれ、キシリトール及びエリスリトールによって例示される。
【００５３】
当技術分野で既知の防腐剤が、任意追加的にフィルムに添加されてもよい。好適な防腐剤としては、塩化ベンザルコニウム、ベンジルアルコール、２−ブロモ−２−ニトロプロパン、ブチルパラベン、クロルヘキシジンジグルコネート、クロルフェニスム、デヒドロ酢酸、クエン酸、ジアゾリジニル尿素、ＤＭＤＭヒダントイン、エチルパラベン、ホルムアルデヒド、イミダゾリジニル尿素、イソブチルパラベン、メチルイソチアゾリノン、メチルパラベン、フェノキシエタノール、ポリアミノプロピルビグアナイド、ソルビン酸カリウム、プロピルパラベン、クオタニウム−１５、サリチル酸、安息香酸ナトリウム、デヒドロ酢酸ナトリウム、二亜硫酸ナトリウム、サリチル酸ナトリウム、亜硫酸ナトリウム、ソルビン酸、ステアラルコニウムクロリド、トリクロサン、及びジンクピリチオンが挙げられるが、それらには限定されない。
【００５４】
一部の実施形態では、「マイクロビーズ」又は他の粒子材料は、スクラブ洗顔料及びボディーソープ等のパーソナルケア製品に使用されるフィルム製品中に「スクラブ粒子」又は「角質除去剤」として組み込まれて、使用されてもよい。マイクロビーズとは、一般に約１，０００μｍ未満、しばしば約７５０μｍ未満の粒径を有する微細粒子である。しばしば、局所適用組成物及び／又は皮膚洗浄組成物は、マイクロビーズ、すなわち約３００μｍ未満、及び好ましくは約１００μｍ未満のサイズを有する粒子を組み込んでいる。軽石等の粒子は、３５〜１４００μｍの範囲であってもよい。局所適用組成物は、一般に、約１００μｍの粒径を有する軽石を用いる。マイクロビーズは、一般に均質な材料であってもよく、軽石、ポリエチレン、ガラス、酸化アルミニウム、二酸化チタン、ヒドロキシプロピルメチルセルロース（ＨＰＭＣ）等のセルロース、又はビタミンＥを含んでもよい。あるいは、マイクロビーズは、望ましい材料がその材料の環境への放出を遅延させるために被覆材料内にカプセル化されている、マイクロカプセル化粒子の形態であってもよい。マイクロカプセル化粒子は、粘着剤及び／又は以下でより詳細に説明される１つ若しくは２つ以上の有益剤を含んでもよい。
【００５５】
好ましい実施形態では、フィルム形成組成物は、例えば図２及び３に示されているように、有益剤を含む。得られる賦形フィルム製品１００は、基材の剥離性表面上に形成される第１の表面１０６、及びその反対側の第２の表面１０８を有する。第１の表面１０６は、それを通して有益剤を送達するように配置及び構成される。例えば、第１の表面１０６は、消費者による使用に先立つ製造及び貯蔵の間、可撓性基材上の剥離ライナーによって保護されてもよい。他方、第２の表面１０８は、粗形状体の仕上げの間、周囲条件に暴露される。したがって、第１の表面１０６は、基材からの取り外し後に粘着性であってもよく、消費者の皮膚に粘着してもよい。第２の表面１０８は、賦形フィルム製品１００への変換の間に「すっかり乾いて」もよい。したがって、粘着性の第１の表面１０６は、消費者の皮膚への有益剤の送達に理想的であり得る。
【００５６】
本明細書及び請求項において使用される場合、用語「有益剤」及びその変化形は、要素、イオン、化合物（例えば、合成化合物若しくは天然資源から単離された化合物）又は固体（例えば、粒子）、液体、若しくは気体状態にある他の化学部分及び皮膚に対する化粧的若しくは治療的効果を有する化合物に関する。
【００５７】
本発明の組成物は、１つ若しくは２つ以上の有益剤又は製薬上許容できるそれらの塩及び／若しくはエステルを更に含んでもよく、有益剤は、一般に、皮膚と相互に作用し、それに対して利益を提供することができる。本明細書で使用される場合、用語「有益剤」は、所望の場所において皮膚の内部及び／又は上に送達されるべき、化粧品又は医薬品等の任意の有効成分を含む。
【００５８】
本明細書で有用な有益剤は、それらの治療的利益又はそれらの想定された作用機序によって分類されてもよい。しかしながら、本明細書で有用な有益剤は、一部の情況下で１つを超える治療的利益を提供し、又は１つを超える作用機序を介して作用し得ることを理解されたい。したがって、本明細書で提供される特定の分類は、便宜上なされたものであり、列挙される特定の適用（複数可）へ有益剤を限定することを意図したものではない。
【００５９】
好適な有益剤の例としては、皮膚に利益を提供するものが挙げられ、例えば、以下に限定されるものではないが、色素脱失剤；反射剤；フィルム形成ポリマー；アミノ酸及びそれらの誘導体；抗菌剤；アレルギー抑制剤；抗ニキビ剤；老化防止剤；防しわ剤、消毒剤；鎮痛剤；てかり制御剤；抗そう痒剤；局所麻酔薬；抗脱毛剤；育毛剤；毛髪成長抑制剤、抗ヒスタミン剤；抗感染剤；抗炎症剤；抗コリン作用薬；血管収縮薬；血管拡張薬；創傷治癒促進剤；ペプチド、ポリペプチド、及びタンパク質；防臭剤及び制汗剤；薬剤；皮膚引き締め剤、ビタミン；美白剤；皮膚黒化剤；抗菌剤；脱毛剤；反対刺激薬；痔疾用剤；殺虫剤；角質除去又は他の機能的利益のための酵素；酵素阻害剤；ツタウルシ製品；ウルシ製品；やけど製品；おむつかぶれ薬；あせも薬；ビタミン；ハーブ抽出物；ビタミンＡ及びその誘導体；フラベノイド；感覚剤；抗酸化剤；毛髪脱色剤；日焼け止め；抗浮腫剤、ネオコラーゲン向上剤、フィルム形成ポリマー、キレート剤；抗フケ／脂漏性皮膚炎／乾癬剤；角質溶解剤；並びにそれらの混合物が挙げられる。
【００６０】
加えて、有益剤は、皮膚に対して受動的利益も提供し得る。したがって、有益剤は、保湿剤又は皮膚軟化剤、皮膚の軟化剤又はコンディショナー、メークアップ調剤等の成分、及びそれらの混合物を含む組成物の中に配合されてもよい。
【００６１】
好適な抗浮腫剤の例としては、非排他的に、ビサボロール天然、合成ビサボロール、コルチコステロイド、β−グルカン、及びそれらの混合物が挙げられる。
【００６２】
好適な血管収縮薬の例としては、非排他的に、セイヨウトチノキ抽出物、サンショウ、ペルオキシド、テトラヒドロザリン、及びそれらの混合物が挙げられる。
【００６３】
好適な抗炎症剤の例としては、非排他的に、ベノキサプロフェン、ツボクサ、ビサボロール、ナツシロギク（全体）、ナツシロギク（パルテノライド不含）、緑茶抽出物、緑茶濃縮物、過酸化水素、サリチル酸塩、オート麦油、カモミール、及びそれらの混合物が挙げられる。
【００６４】
ネオコラーゲン向上剤の例としては、非排他的に、ビタミンＡ及びその誘導体（例えば、β−カロチン、並びにレチノイン酸等のレチノイド、レチナール、レチニルパルミテート、レチニルアセテート、及びレチニルプロピオネート等の及びレチニルエステル）；アスコルビン酸、リン酸アスコルビル、アスコルビン酸パルミテート、及びアスコルビン酸グルコシド等のビタミンＣ及びその誘導体；銅ペプチド；ラクトース、メリビオース、及びフルクトース等の単純な糖；及びそれらの混合物が挙げられる。
【００６５】
酵素の例としては、パパイン、ブロメライン、ペプシン、及びトリプシンが挙げられる。
【００６６】
好適な皮膚引き締め剤の例としては、非排他的に、ジメチルアミノエタノール（「ＤＭＡＥ」）等のアルカノールアミンが挙げられる。
【００６７】
好適な抗そう痒剤及び皮膚保護剤の例としては、非排他的に、ひき割りオート麦、β−グルカン、ナツシロギク、大豆製品（「大豆製品」によって、米国特許出願第２００２−０１６００６２号に記載されているような大豆由来の物質が意味される）、重曹、コロイド状ひき割りオート麦、ルリハコベ、メマツヨイグサ、バーベナ等が挙げられる。本明細書で使用される場合、コロイド状ひき割りオート麦は、第１又は第２オート麦の米国基準を満たす全粒粉オート麦の粉砕及び更なる加工から得られる粉末を意味する。コロイド状ひき割りオート麦は、以下の粒径分布を有する。すなわち、全粒子の３パーセント以下が１５０マイクロメートルのサイズを超え、全粒子の２０パーセント以下が７５マイクロメートルのサイズを超える。好適なコロイド状ひき割りオート麦の例としては、Ｂｅａｃｏｎ  Ｃｏｒｐｏｒａｔｉｏｎ（ケニルワース、ニュージャージー州）から入手可能な「Ｔｅｃｈ−Ｏ」及びＱｕａｋｅｒ（シカゴ、イリノイ州）から入手可能なコロイド状ひき割りオート麦が挙げられるが、それらには限定されない。
【００６８】
好適な反射剤の例としては、非排他的に、雲母、アルミナ、ケイ酸カルシウム、グリコールジオレエート、グリコールジステアレート、シリカ、ナトリウムフッ化ケイ素酸マグネシウム、及びそれらの混合物が挙げられる。
【００６９】
皮膚黒化剤の例としては、非排他的に、ジヒドロキシアセトン、エリトロース、メラニン、及びそれらの混合物が挙げられる。
【００７０】
好適なフィルム形成ポリマーの例としては、乾燥後に、皮膚又は爪上に実質的に連続的な被覆又はフィルムを生じさせるものが挙げられる。好適なフィルム形成ポリマーの非排他的な例としては、アクリルアミドプロピルトリモニウムクロリド／アクリルアミドのコポリマー、コーンスターチ／アクリルアミド／アクリル酸ナトリウムのコポリマー、ポリクオタニウム−１０、ポリクオタニウム−４７、ポリビニルメチルエーテル／無水マレイン酸のコポリマー、スチレン／アクリレートのコポリマー、及びそれらの混合物が挙げられる。
【００７１】
保湿及びコンデショニング特性を提供することができる市販の保湿剤としては、非排他的に、（ｉ）グリセリン、プロピレングリコール、ヘキシレングリコール、ブチレングリコール、ペンチレングリコール、ジプロピレングリコール、及びそれらの混合物を含む群から選択される水溶性液体ポリオール、（ｉｉ）ＰＥＧ  ４等の、式ＨＯ−（Ｒ’’Ｏ）ｂ−Ｈのポリアルキレングリコール（式中、Ｒ’’は、約２〜約４個の炭素原子を有するアルキレン基であり、ｂは、約１〜約１０の整数である）、（ｉｉｉ）式ＣＨ３−Ｃ６Ｈ１０Ｏ５−（ＯＣＨ２ＣＨ２）ｃ−ＯＨのメチルグルコースのポリエチレングリコールエーテル（式中、ｃは、約５〜約２５の整数である）、（ｉｖ）尿素、（ｖ）フルクトース、（ｖｉ）グルコース、（ｖｉｉ）はちみつ、（ｖｉｉｉ）乳酸、（ｉｘ）マルトース、（ｘ）グルクロン酸ナトリウム、並びに（ｘｉ）それらの混合物が挙げられ、グリセリンが、代表的な保湿剤である。
【００７２】
好適なアミノ酸及び誘導体としては、様々なタンパク質の加水分解由来のアミノ酸、並びにそれらの塩、エステル、及びアシル誘導体が挙げられる。このようなアミノ酸剤の例としては、非排他的に、アルキルアミドアルキルアミン等の両性アミノ酸、すなわちステアリルアセチルグルタメート、カプリロイルシルクアミノ酸、カプリロイルコラーゲンアミノ酸；カプリロイルケラチンアミノ酸；カプリロイルピーアミノ酸；ココジモニウムヒドロキシプロピルシルクアミノ酸；コーングルテンアミノ酸；システイン；グルタミン酸；グリシン；毛髪ケラチンアミノ酸；アスパラギン酸、トレオニン、セリン、グルタミン酸、プロリン、グリシン、アラニン、シスチン、バリン、メチオニン、イソロイシン、ロイシン、チロシン、フェニルアラニン、システイン酸、リジン、ヒスチジン、アルギニン、システイン、トリプトファン、シトルリン等のアミノ酸；リジン；シルクアミノ酸、小麦アミノ酸；及びそれらの混合物が挙げられる。
【００７３】
好適なタンパク質としては、長鎖、すなわち少なくとも約１０個の炭素原子と、高い分子量、すなわち少なくとも約１０００とを有し、アミノ酸の自己縮合によって形成されるポリマーが挙げられる。このようなタンパク質の非排他的な例としては、コラーゲン、デオキシリボヌクレアーゼ、ヨウ化コーンタンパク質；乳タンパク質；プロテアーゼ；血清タンパク；シルク；スイートアーモンドタンパク質；小麦胚タンパク質；小麦タンパク質；α及びβらせん型のケラチンタンパク質；中間繊維タンパク質、高硫黄タンパク質、超高硫黄タンパク質、中間繊維関連タンパク質、高チロシンタンパク質、高グリシンチロシンタンパク質、トリコヒアリン等の毛髪タンパク質、及びそれらの混合物が挙げられる。
【００７４】
好適なビタミンの例としては、非排他的に、チアミン、ニコチン酸、ビオチン、パントテン酸、コリン、リボフラビン、ビタミンＢ３、ビタミンＢ６、ビタミンＢ１２、ピリドキシン、イノシトール、カルニチンを含む様々な形態のビタミンＢ複合体；ビタミンＡ、Ｃ、Ｄ、Ｅ、Ｋ及びビタミンＡパルミテート等のそれらの誘導体、並びにビタミン前駆体、例えば（すなわち、パンテノール（ビタミンＢ５前駆体）及びパンテノールトリアセテート）、並びにそれらの混合物が挙げられる。
【００７５】
好適な抗菌剤の例としては、非排他的に、バシトラシン、エリスロマイシン、ネオマイシン、テトラサイクリン、クロルテトラサイクリン、塩化ベンゼトニウム、フェノール、ベンジルペルオキシド、銀などの金属塩又はイオン及びその塩、並びにそれらの混合物が挙げられる。
【００７６】
好適な皮膚軟化剤及び皮膚保湿剤の例としては、非排他的に、鉱物油、ラノリン、植物油、イソステアリルイソステアレート、グリセリルラウレート、メチルグルセス−１０、メチルグルセス−２０キトサン、及びそれらの混合物が挙げられる。
【００７７】
好適な毛髪柔軟剤の例としては、非排他的に、不揮発性又は揮発性のいずれかのもの、及び水溶性又は水に不溶性のもの等の、シリコーン化合物が挙げられる。好適なシリコーンの例としては、有機置換ポリシロキサンが挙げられ、モノマー性シリコーン／酸素モノマーの直鎖又は環状のいずれかのポリマーであり、非排他的に、セチルジメチコーン、セチルトリエチルアンモニウムジメチコーンコポリオールフタレート、シクロメチコン、ジメチコーンコポリオール、ジメチコーンコポリオールラクテート、加水分解大豆タンパク質／ジメチコーンコポリオールアセテート、シリコーンクオタニウム１３、ステアラルコニウムジメチコーンコポリオールフタレート、ステアルアミドプロピルジメチコーン、及びそれらの混合物が挙げられる。
【００７８】
日焼け止めの例としては、非排他的に、ベンゾフェノン、ボルネロン、ブチルＰＡＢＡ、シンナムアミドプロピルトリメチルアンモニウムクロリド、ジスチリルビフェニルジスルホネート二ナトリウム、ＰＡＢＡ及びその誘導体（オクチルジメチルＰＡＢＡ等、ブチルメトキシジベンゾイルメタン、イソアミルメトキシシンナメート、メチルベンジリデン樟脳、オクチルトリアゾール、オクチルメトキシシンナメート、オキシベンゾン、オクトクリレン、オクチルサリチレート、ホモサラート、フェニルベンズイミダゾールスルホン酸、エチルヒドロキシプロピルアミノベンゾエート、メンチルアントラニレート、アミノ安息香酸、シノキセート、ジエタノールアミンメトキシシンナメート、グリセリルアミノベンゾエート、二酸化チタン、酸化亜鉛、オキシベンゾン、パジマートＯ、赤ワセリン、ＭＥＸＯＲＹＬ  Ｓ及びＳＸ、ＴＩＮＯＳＯＲＢ  Ｍ及びＳ、並びにそれらの混合物が挙げられる。
【００７９】
美白剤の例としては、非排他的に、ヒドロキノン、カテコール及びその誘導体、アスコルビン酸及びその誘導体、並びにそれらの混合物が挙げられる。
【００８０】
好適な殺虫剤（昆虫忌避剤、抗疥癬、及び抗シラミ処置剤を含む）の例としては、非排他的に、ペルメトリン、ピレトリン、ピペロニルブトキシド、イミダクロプリド、Ｎ，Ｎ−ジエチルトルアミド（これは、メタ異性体、すなわち、ＤＥＥＴとしても知られているＮ，Ｎ−ジエチル−ｍ−トルアミドを主として含有する物質を指す）、天然又は合成ピレスロイド（天然ピレスロイドは、ジョチュウギク又はＣコクシネウム（coccineum）の花粉末の抽出物である除虫菊に含まれる）、並びにそれらの混合物が挙げられる。式ＩＩＩの構造内には、エチル３−（Ｎ−ブチルアセタミド）プロピオネートがあり、式中、Ｒ７は、ＣＨ３基であり、Ｒ５は、ｎ−ブチル基であり、Ｒ６は、Ｈであり、Ｋは、ＣＯＯＲ８であり、Ｒ８は、エチルであり、これは、Ｍｅｒｃｋ  ＫＧａＡ（ダルムシュタット、ドイツ）から「Ｉｎｓｅｃｔ  Ｒｅｐｅｌｌｅｎｔ  ３５３５」の名称で市販されている。
【００８１】
足の調合剤のための抗菌剤の例としては、非排他的に、トルナフテート及びミコノゾールが挙げられる。
【００８２】
好適な脱毛剤の例としては、非排他的に、チオグリコール酸カルシウム、チオグリコール酸マグネシウム、チオグリコール酸カリウム、チオグリコール酸ストロンチウム、及びそれらの混合物が挙げられる。
【００８３】
外用鎮痛剤及び局所麻酔薬等の好適な鎮痛剤の例としては、非排他的に、ベンゾカイン、ジブカイン、ベンジルアルコール、樟脳、カプサイシン、トウガラシ、トウガラシ含油樹脂、ネズノキタール、メントール、メチルニコチネート、サリチル酸メチル、フェノール、レゾルシノール、テレピン油、及びそれらの混合物が挙げられる。
【００８４】
好適な制汗剤及び防臭剤の例としては、非排他的に、アルミニウムクロロハイドレート、アルミニウムジルコニウムクロロハイドレート、及びそれらの混合物が挙げられる。
【００８５】
好適な反対刺激薬の例としては、非排他的に、樟脳、メントール、サリチル酸メチル、ペパーミント及び丁子油、イクタモール、及びそれらの混合物が挙げられる。
【００８６】
好適な炎症抑制剤の例としては、非排他的に、ヒドロコルチゾン、ワイルドストロベリー、カミツレ、及びセイジが挙げられる。
【００８７】
好適な麻酔成分の例としては、非排他的に、ベンゾカイン、塩酸プラモキシン、リドカイン、ベータカイン、及びそれらの混合物；塩化ベンゼトニウム等の消毒剤；酸化亜鉛、次没食子酸ビスマス、バルサムペルー等の収斂剤、及びそれらの混合物；酸化亜鉛、シリコーン油、ワセリン、タラ肝油、植物油等の皮膚保護剤、並びにそれらの混合物が挙げられる。
【００８８】
フケ、脂漏性皮膚炎、及び乾癬、並びにそれらに関連する症状の治療に効果的なこのような好適な有益剤の例としては、非排他的に、ジンクピリチオン、アントラリン、シェールオイル及びスルホン化シェールオイル等のその誘導体、硫化セレン、硫黄；サリチル酸；コールタール；ポビドンヨード、ケトコナゾール、ジクロロフェニルイミダゾロジオキサラン（「エルビオール」）、クロトリマゾール、イトラコナゾール、ミコナゾール、クリンバゾール、チオコナゾール、スルコナゾール、ブトコナゾール、フルコナゾール、ミコナゾールニトレート等のイミダゾール、並びにそれらの任意の可能な立体異性体及び誘導体；ピロクトンオラミン（オクトピロックス）；シクロピロックスオラミン；ビタミンＤ類似物等の抗乾癬薬、例えば、カルシポトリオール、カルシトリオール、及びタカレイトロール；ビタミンＡのエステル等のビタミンＡ類似物、例えば、ビタミンＡパルミテート及びビタミンＡアセテート、レチニルプロピオネート、レチンアルデヒド、レチノール、及びレチノイン酸；ハイドロコルチゾン、クロベタゾン、ブチラート、クロベタゾールプロピオネートメントール、塩酸プラモキシン等のコルチコステロイド、並びにそれらの混合物が挙げられる。
【００８９】
脱毛を治療するのに好適な有益剤の例としては、これらに限定されるものではないが、ミノキシジル、ジアゾキシド、及びＮ＊−シアノ−Ｎ−（ｔｅｒｔ−ペンチル）−Ｎ’−３−ピリジニル−グアニジン（「Ｐ−１０７５」）等の化合物等のカリウムチャネル開口薬又は末梢血管拡張薬；ソーパルメット抽出物、ビタミンＥ及びビタミンＣ等のビタミン、並びにビタミンＥアセテート及びビタミンＣパルミテート等のそれらの誘導体；エリスロポエチン、プロスタグランジンＥｌ及びプロスタグランジンＦ２−α等のプロスタグランジン等のホルモン；オレイン酸等の脂肪酸；スピロノラクトン等のジルレティック；ＨＳＰ  ２７及びＨＳＰ  ７２等の熱ショックタンパク質（「ＨＳＰ」）；ベラパミルＨＣＬ、ニフェジピン、及びジルチアゼムアミロライド等のカルシウムチャネル遮断薬；シクロスポリン及びＦｋ−５０６等の免疫抑制薬；フィナステリド等の５α−還元酵素阻害剤；ＥＧＦ、ＩＧＦ、及びＦＧＦ等の成長因子；トランスフォーミング増殖因子β；腫瘍壊死因子；ベノキサプロフェン等の非ステロイド性抗炎症剤；レチナール及びトレチノイン等のレチノイド；ＩＬ−６、ＩＬ−１α、及びＩＬ−１β等のサイトカイン；ＩＣＡＭ等の細胞接着分子；ベタメタゾン等のグルココルチコイド；アロエ、クローブ、朝鮮人参、ジオウ、センブリ、スイートオレンジ、サンショウ、ノコギリヤシ（ソーパルメット）、アフリカスターグラス（Hypoxis rooperi）、イラクサ、カボチャ種子、及びライ麦花粉等の植物性抽出物；サンドルウッド（sandlewood）、レッドビートの根、キク、ローズマリー、ゴボウを含む他の植物性抽出物、及び他の育毛賦活剤；カリウム・フォスフォリクム（Kalium Phosphoricum）Ｄ２、ニーム（Azadirachta indica）Ｄ２、及びヨボランジ（Joborandi）ＤＩ等のホメオパシー剤；サイトカイン、成長因子、及び頭頂部脱毛症の遺伝子；ケトコナゾール及びエルビオール等の抗菌剤；ストレプトマイシン等の抗生物質；シクロヘキシミド等のタンパク質阻害剤；アセタゾラミド；ベノキサプロフェン；コルチゾン；ジルチアゼム；ヘキサクロロベンゼン；ヒダントイン；ニフェジピン；ペニシラミン；フェノチアジン；ピナシジル；ソラレン、ベラパミル；ジドブジン；以下のルチンのうち少なくとも１つを有するα−グルコシル化ルチン：ケルセチン、イソクエルシトリン、ヘスペジン（hespeddin）、ナリンジン、及びメチルヘスペリジン、並びにそれらのフラボノイド及びトランスグルコシダート化誘導体；並びにそれらの混合物が挙げられる。
【００９０】
育毛の抑制において使用するのに好適な有益剤の例としては、トリプシン等のセリンプロテアーゼ；α−トコフェノール（ビタミンＥ）等のビタミン、及びトコフェノールアセテート及びトコフェノールパルミテート等のそれらの誘導体；ドキソルビシン、シクロホスファミド、クロルメチン、メトトレキサート、フルオロウラシル、ビンクリスチン、ダウノルビシン、ブレオマイシン、及びヒドロキシカルバミド等の抗腫瘍薬；ヘパリン、ヘパリン類似物質、クマエリン、デトラン、及びインダンジオン等の凝固阻止剤；ヨウ素、チオウラシル、及びカルビマゾール等の抗甲状腺薬；リチウム及びリチウムカーボネート；インターフェロンα、インターフェロンα−２ａ、及びインターフェロンα−２ｂ等のインターフェロン；レチノール（ビタミンＡ）、イソトレチノイン等のレチノイド：β−メタゾン、及びデキサメトゾン等のグルココルチコイド；トリパラノール及びクロフィブラート等の抗高脂血症薬；タリウム；水銀；アルベンダゾール；アロプリノール；アミオダロン；アンフェタミン；男性ホルモン；ブロモクリプチン；ブチロフェノン；カルバマゼピン；コレスチラミン；シメチジン；クロフィブラート；ダナゾール；デシプラミン；ジキシラジン；エタンブトール；エチオナミド；フルオキセチン；ゲンタマイシン、金塩；ヒダントイン；イブプロフェン；イムプラミン；免疫グロブリン；インダンジオン；インドメタシン；イントラコナゾール；レバドパ；マプロチリン；メチセルジド；メトプロロール；メチラポン；ナドロール；ニコチン酸；チオシアン酸カリウム；プロプラノロール；ピリドスチミン；サリチル酸塩；スルファサラジン；テルフェナジン；チアンフェニコール；チオウラシル；トリメタジオン；トロパラノール；バルプロ酸；及びそれらの混合物が挙げられる。
【００９１】
好適な老化防止剤の例としては、二酸化チタン及び酸化亜鉛等の無機日焼け止め；オクチル−メトキシシンナメート等の有機日焼け止め及びそれらの誘導体；レチノイド；銅を含有するペプチド；ビタミンＥ、ビタミンＡ、ビタミンＣ、ビタミンＢ等のビタミン、及びビタミンＥアセテート、ビタミンＣパルミテート等のそれらの誘導体；β−カロチン、グリコール酸、クエン酸、乳酸、リンゴ酸、マンデル酸、アスコルビン酸、α−ヒドロキシ酪酸、α−ヒドロキシイソ酪酸、α−ヒドロキシイソカプロン酸、アトロ乳酸、α−ヒドロキシイソ吉草酸、ピルビン酸エチル、ガラクツロン酸、グルコヘプトン酸、グルコヘプトノ１，４−ラクトン、グルコン酸、グルコノラクトン、グルクロン酸、グルクロノラクトン、グリコール酸、ピルビン酸イソプロピル、ピルビン酸メチル、ムチン酸、ピルビン酸、サッカリン酸、サッカリック酸１，４−ラクトン、酒石酸、及びタルトロン酸等のαヒドロキシ酸を含む抗酸化剤；β−ヒドロキシ酪酸、β−フェニル−乳酸、β−フェニルピルビン酸等のβヒドロキシ酸；ポリフェノール；緑茶、大豆製品、マリアアザミ、藻類、アロエ、アンゼリカ、ダイダイ、コーヒー、金糸、グレープフルーツ、ホエレン（hoellen）、スイカズラ、ジュズダマ、ムラサキ、クワ、ボタン、プエラルア、ナイス（nice）、サフラワー等の植物性抽出物、及びそれらの混合物が挙げられるが、それらには限定されない。
【００９２】
好適な抗ニキビ剤の例としては、局所レチノイド（トレチノイン、イソトレチノイン、モトレチニド、アダパレン、タザロテン、アゼライン酸、レチノール）；サリチル酸；過酸化ベンゾイル；レゾルシノール；テトラサイクリン及びその異性体、エリスロマイシン等の抗生物質、並びにイブプロフェン、ナプロキセン、ヘトプロフェン等の抗炎症剤；ハンノキ、ウサギギク、カワラヨモギ、サイシン、バール（birrh）、キンセンカ、カモミール、ハマゼリ、ヒレハリソウ、ウイキョウ、五倍子、サンザシ、ドクダミ、オトギリソウ、ナツメ、キウイ、甘草、モクレン、オリーブ、ペパーミント、フィロデンドロン、サルビア、クマザサ等の植物性抽出物；ケトコナゾール及びエルビオール等のイミダゾールが挙げられるが、それらには限定されない。
【００９３】
好適な色素脱失剤の例としては、大豆製品、レチノール等のレチノイド；コウジ酸及びその誘導体、例えば、コウジジパルミチン酸等；ヒドロキノン及びアルブチン等のそれ誘導体；トラネキサム酸；ナイアシン、ビタミンＣ等のビタミン及びその誘導体；アゼライン酸；プラセルティア；甘草；カモミール及び緑茶等の抽出物、並びにそれらの混合物が挙げられるが、それらには限定されず、レチノイド、コウジ酸、大豆製品、及びヒドロキノンが、特に好適な例である。
【００９４】
好適な抗痔製品の例としては、ベンゾカイン、塩酸プラモキシン等の麻酔剤、及びそれらの混合物；塩化ベンゼトニウム等の消毒剤；酸化亜鉛、次没食子酸ビスマス、バルサムペルー等の収斂剤、及びそれらの混合物；タラ肝油、植物油等の皮膚保護剤、並びにそれらの混合物が挙げられるが、それらには限定されない。
【００９５】
血管拡張薬の例としては、ミノキシジル、ジアゾキシド、及びＮ＊−シアノ−Ｎ−（ｔｅｒｔ−ペンチル）−Ｎ’−３−ピリジニル−グアニジン（「Ｐ−１０７５」）等の化合物が挙げられるが、それらには限定されない。
【００９６】
好適なてかり制御剤の例としては、水酸化ケイ素、カオリン、及びベントナイトが挙げられるが、それらには限定されない。好適な抗ヒスタミン剤の例としては、ジフェンヒドラミンＨＣｌが挙げられるが、それらには限定されない。
【００９７】
好適な抗感染薬の例としては、塩化ベンザルコニウム、ヘキサミジン、及び過酸化水素が挙げられるが、それらには限定されない。好適な創傷治癒促進剤の例としては、キトサン及びその誘導体が挙げられるが、それらには限定されない。好適なツタウルシ及びウルシ製品の例としては、ベントナイト、ヒドロコルチゾン、メントール、及びリドカインが挙げられるが、それらには限定されない。やけど製品の例としては、ベンゾカイン及びリドカインが挙げられるが、それらには限定されない。好適な抗おむつかぶれ製品の例としては、酸化亜鉛及びワセリンが挙げられるが、それらには限定されない。好適なあせも製品の例としては、酸化亜鉛が挙げられるが、それらには限定されない。好適な感覚剤の例としては、メントール、芳香剤、及びカプサイシンが挙げられるが、それらには限定されない。
【００９８】
賦形フィルム製品１００との使用に特に好適であり得る有益剤としては、ＤＭＡＥ、大豆製品、コロイド状ひき割りオート麦、スルホン化シェールオイル、オリーブ葉、エルビオール、６−（１−ピペリジニル）−２，４−ピリミジンジアミン−３−オキシド、フィナステリド、ケトコナゾール、サリチル酸、ジンクピリチオン、コールタール、過酸化ベンゾイル、硫化セレン、ヒドロコルチゾン、硫黄、メントール、塩酸プラモキシン、トリセチルモニウムクロリド、ポリクアテルニウム１０、パンテノール、パンテノールトリアセテート、ビタミンＡ及びその誘導体、ビタミンＢ及びその誘導体、ビタミンＣ及びその誘導体、ビタミンＤ及びその誘導体、ビタミンＥ及びその誘導体、ビタミンＫ及びその誘導体、ケラチン、リジン、アルギニン、加水分解小麦タンパク質、銅含有ペプチド及び銅塩等の銅含有化合物、加水分解シルクタンパク質、オクチルメトキシシンナメート、オキシベンゾン、アボベンゾン、ミノキシジル、ソーパルメット抽出物、二酸化チタン、酸化亜鉛、レチノール、エルスロマイシン、トレチノイン、並びにそれらの混合物が挙げられる。
【００９９】
賦形フィルム製品１００との使用に特に好適であり得る他の有益剤としては、ネオコラーゲン促進剤（例えば、レチナール等のレチノイド及び銅含有ペプチド）、皮膚引き締め剤（例えば、ＤＭＡＥ）、及び色素脱失剤（例えば、大豆）が挙げられる。
【０１００】
使用され得る有益剤の量は、例えば、皮膚又は爪を通して浸透する有益剤の能力、選択される特定の有益剤、所望の特定の利益、ユーザの有益剤に対する感受性、ユーザの健康状態、年齢、並びに皮膚及び／又は爪の状態等に応じて変わり得る。要するに、有益剤は、健全な医療判断において合理的なリスク対利益比の下で、「安全かつ効果的な量」で、すなわち所望の皮膚若しくは爪に対する利益をもたらすため又は治療されるべき特定の状態を修正するためには十分に高いが、重大な副作用を防止するには十分に低い量で、使用される。
【０１０１】
有益剤は、有益剤の機能を減じない他の成分と共に配合され、混合され、又は調合されて組成物（例えば、液体、乳剤、クリーム等）にされてもよい。１つ又は２つ以上の有益剤の皮膚内への吸収を向上させる送達剤は、この機能を果たすために、有益剤と共に配合されてもよい。好適な送達剤としては、例えば、スルホキシド、エタノール等のアルコール；例えばリノール酸又はオレイン酸等の脂肪酸、例えばＣ３〜Ｃ１０のカルボン酸をＣ１０〜Ｃ２０の脂肪酸アルコールと反応させることから産出され得るもの等の脂肪族エステル；角質層を通して皮膚のより深い層への様々な有益剤の浸透を向上させるのに好適であると当技術分野で既知の他の剤のうち、ポリオール、アルカン、アミン、アミド、トゥルペン、界面活性剤、シクロデキストリン、又はそれらの組み合わせ、が挙げられる。
【０１０２】
組成物中の有益剤の濃度は、可変である。本明細書で特に表現されない限り、有益剤は、典型的には、組成物／系の総重量に基づき、約０．０１パーセント〜約５パーセント（例えば、約０．０１パーセント〜約１パーセント）等、約０．０１パーセント〜約２０パーセントの量で組成物中に存在する。
【０１０３】
有益剤を含むこの組成物は、上記されたようなカップリング組成物としても機能してもよく、組成物がこれらの機能のうちの１つを有することを可能にする成分を含んでもよい。
【０１０４】
上記の成分に加えて、又はそのうちの１つ若しくは２つ以上の代わりに、芳香剤、着香料、甘味料、着色料、顔料、染料等が本発明のフィルム形成組成物に添加されてもよい。
【０１０５】
〔実施の態様〕
（１）  賦形フィルム製品を形成するための方法であって、
ａ．送達面と、反対側の基材に対向する面と、所望の賦形フィルム製品に対応する設計を有する少なくとも１つの開口部とを有するマスクを、基材の上に載置する工程と、
ｂ．前記マスクの前記送達面と封止係合するノズルを通して、フィルム形成組成物を前記マスクの前記少なくとも１つの開口部へ送達して、粗形状体を前記基材上に形成する工程と、
ｃ．前記マスクを取り外す工程と、
ｄ．前記フィルム形成組成物を凝固させて、前記基材上に配された前記賦形フィルム製品を提供する工程と、を含む、方法。
（２）  前記マスクが、内部を有する回転ドラムの表面上に配され、前記少なくとも１つの開口部が、前記回転ドラムの前記内部と連通している、実施態様１に記載の方法。
（３）  前記ノズルが、前記マスク開口部の横方向寸法よりも大きい横方向寸法を有する、実施態様１に記載の方法。
（４）  フィルム形成組成物を送達する前記工程が、前記ノズルの送達開口部の突出、基材、及びマスク側壁によって画定される空隙容積への前記フィルム形成組成物の前記送達を制御することと、前記制御された体積のフィルム形成組成物を前記マスク開口部へ送達することと、を含む、実施態様１に記載の方法。
（５）  多層賦形フィルム製品を形成するための方法であって、
ａ．送達面と、反対側の基材に対向する面と、前記賦形フィルム製品の一部分の所望の形状に対応する設計を有する少なくとも１つの開口部とを有する第１のマスクを、基材の上に載置する工程と、
ｂ．前記マスクの前記少なくとも１つの開口部を通して第１のフィルム形成組成物を送達して、厚さを有する第１の粗形状体を前記基材上に形成する工程と、
ｃ．前記第１のマスクを取り外す工程と、
ｄ．厚さと、送達面及び反対側の基材に対向する面と、前記賦形フィルム製品の第２の部分の前記所望の形状に対応する設計を有する少なくとも１つの開口部とを有する第２のマスクを前記第１の粗形状体上に載置する工程であって、前記第１の粗形状体が、前記第２のマスクの前記少なくとも１つの開口部よりも大きくはなく、前記第２のマスクの前記厚さが、前記第１の粗形状体の前記厚さよりも大きい、工程と、
ｅ．第２のフィルム形成組成物の空隙容積への送達を制御する工程であって、前記空隙容積は、
ｉ．ノズルの送達開口部の突出、基材、及びマスク側壁の体積から、前記送達開口部の前記突出に対応する前記第１の粗形状体の体積を減じたものと、
ｉｉ．前記制御された体積の前記第２のフィルム形成組成物を前記第２のマスク開口部へ送達することと、によって画定される、工程と、
ｆ．前記第２のマスクを取り外す工程と、
ｇ．前記第１の粗形状体及び前記第２の粗形状体を凝固させて、前記基材上に配された前記賦形フィルム製品を提供する工程と、を含む、方法。
【０１０６】
（６）  実施態様１に記載の方法に従って生産された賦形フィルム製品。
（７）  実施態様５に記載の方法に従って生産された賦形フィルム製品。
（８）  第２のフィルム材料によって実質的に取り囲まれた、第１のフィルム材料を有する第１の表面と、前記第２のフィルム材料によって形成された第２の表面とを備える、賦形フィルム製品。
（９）  賦形フィルム製品を形成するための装置であって、
ａ．所望の賦形フィルム製品に対応する開口部を有するマスクと、
ｂ．前記マスクを支持するように配置及び構成されたマスク支持体と、
ｃ．フィルム形成組成物を前記マスク開口部へ送達するためのシステムであって、前記フィルム形成組成物を前記マスク開口部へ送達するための少なくとも１つのポンプと流体連通しているフィルム形成組成物リザーバと、前記フィルム形成組成物の流動を制御するためのポンプコントローラと、前記フィルム形成組成物を受容し、それを前記マスク開口部へ送達するように配置及び構成されたノズルとを備える、システムと、を備える、装置。
（１０）  前記マスク支持体と前記マスクとの間に配された基材を更に備える、実施態様９に記載の装置。
【０１０７】
（１１）  前記マスク支持体が、剥離ライナー付きの表面を有し、それによって前記装置内で形成された賦形フィルム製品をそこから取り外すことができる、実施態様９に記載の装置。
（１２）  前記フィルム形成組成物を前記マスク開口部へ送達するための前記システムが、前記フィルム形成組成物を前記マスク開口部へ実質的に層流で送達するように配置及び構成されている、実施態様９に記載の装置。
【図１】
2019018205.tif 000003
【図２】
2019018205.tif 000004
【図３】
2019018205.tif 000005
【図４】
2019018205.tif 000006
【図５Ａ】
2019018205.tif 000007
【図５Ｂ】
2019018205.tif 000008
【図６】
2019018205.tif 000009
【図７Ａ】
2019018205.tif 000010
【図７Ｂ】
2019018205.tif 000011
【図８】
2019018205.tif 000012